(57)【要約】【課題】  簡単な構造で、安定した水面清掃ができ、しかも収集した芥も簡単に引き上げ、簡単に排出できる水面清掃船及び、この水面清掃船で使用する芥収集網を提供することを目的とした。【解決手段】  袋状になる網の先端開口部面に円形又は多角形の第１の枠体３を有する芥収納網２と、第１の枠体３と係合し、芥収納網２の先端開口面を船体１の進行方向に対向するように、船体の両側面に第２の枠体４を設置し、芥収納網の第１の枠体３と、船体１に設けた第２の枠体４を係合する係合手段を設け、芥集収の際に船体の両側に設置した一対の芥収納網２で船体１を進行させ水面を清掃するようにした。【選択図】図１
2017226403.tif 000002
【特許請求の範囲】
【請求項１】
袋状になる網の先端開口部面に円形又は多角形の第１の枠体を有する芥収納網と、
前記第１の枠体と係合し、前記収納網の先端開口面を船体の進行方向に対向するように、船体の両側面に第２の枠体を設置し、前記芥収納網の第１の枠体と、船体に設けた第２の枠体をそれぞれ係合する係合手段を設け、芥集収の際に船体の両側に設置した一対の芥収納網で船体を進行させ水面を清掃することを特徴とする水面清掃船。
【請求項２】
前記第２の枠体は、前記芥収納網の先端開口面の高さを調整できるように、船体の両側面に第２の枠体の上下高さを調整可能に設置してなることを特徴とする前記請求項１記載の水面清掃船。
【請求項３】
前記係合手段は、前記芥収納網の先端開口面の高さを調整できるように、前記第１の枠体と、前記第２の枠体の係合位置を上下に調整できるようにしたことを特徴とする前記請求項１記載の水面清掃船。
【請求項４】
前記係合手段は、前記第２の枠体の開口面に対して、前記第１の枠体の開口面を重ねた時に通り抜けないような大きさに設定し、船体の進行方向に対して前記第１の枠体、前記第２の枠体の順に配置されることを特徴とする前記請求項１乃至３記載の水面清掃船。
【請求項５】
前記芥収納網は、紐などにより開口部を閉じることができるよう閉止手段を設けたことを特徴とする前記請求項１乃至４記載の水面清掃船。
【請求項６】
前記芥収納網は、前記第１の枠体の開口面の反対側の底部を開口できる開口手段を有してなることを特徴とする前記請求項１乃至４記載の水面清掃船。
【発明の詳細な説明】
【技術分野】
【０００１】  本発明は、水面上に浮遊する塵芥物を回収する水面清掃船に関するものである。
【背景技術】
【０００２】  従来、特許文献１に示すような水面清掃船が開示されている。それによると、船本体１の中央部にその船主側より船尾側に向けて導水路２を設け、導水路２の入り口部近傍に回転円板３を備えた水流加速ローター４を取り付け、この水流加速ローター４の下流側に金網等で形成された回収槽５を配置して浮遊物を回収槽５へ捕集するようにしたものが開示されている。【０００３】  また、特許文献２には、双胴船体２、３間に、浮遊物回収ドラム１０を、船主側が低くなるように傾斜状にかつドラム軸線回りに回転可能に設け、ドラム１０内面にらせん羽根２１からなる浮遊物移動手段を設け、浮遊物を前記ドラム１０の船尾側から排出し、回収バケット２３に落下させるようなものが開示されている。【０００４】  さらに、特許文献３に示されるように、双胴船の双胴間に芥籠を設けた水面清掃船を陸岸より上げ降ろしするインクラインにおいて、あらかじめ空籠を台車上の定位置に置いて水中の適当な深さに沈めておき、芥拾集の終わった水面清掃船は芥籠を甲板上の適当な高さに支承して台車の定位置に至り、水中の空籠を双胴間に収容して台車上の支柱へ上下自由に係留し、しかる後に芥収集ずみの籠を台車上の籠吊り上げる水面清掃船芥籠交換方法などが開示されている。【０００５】  これら技術は、水面清掃の基本的方法、技術として確立しているが、水面清掃船のメンテナンス上の維持管理のための経費もかさみ、大がかりな作業となりこまめに作業を行うことは難しかった。軽度の作業を回数こなして行おうと、一般的な単胴ボートで水面清掃作業を試みたが、なかなか達成できなかった。すなわち、双胴船を用いるのは、芥を回収するのに芥の重量が増すため、清掃船が回転してしまい安定したコントロール維持できず専用の双胴船を使用し、中央部で作業を行う必要があった。また集めた芥を廃棄するのに効率よく大量の芥を廃棄できなかった。
【先行技術文献】
【特許文献】
【０００６】
【特許文献１】実公昭６３−８４６４号公報
【特許文献２】特開平０９−９９８９１号公報
【特許文献３】特公平０２−１７３９４号公報
【発明の概要】
【発明が解決しようとする課題】
【０００７】  そこで本願発明で解決しようとする問題点は、一般的に購入しやすい単胴のボートで水面清掃を行う水面清掃船及び、この水面清掃船で使用するのに適した芥収集網を提供することを目的とした。
【課題を解決するための手段】
【０００８】  この問題を解決するため、本発明の請求項１における水面清掃船は、袋状になる網の先端開口部面に円形又は多角形の第１の枠体を有する芥収納網と、この第１の枠体と係合し、収納網の先端開口面を船体の進行方向に対向するように、船体の両側に第２の枠体を設置し、芥収納網の第１の枠体と、船体に設けた第２の枠体を係合する係合手段を設け、芥集収の際に船体の両側に設置した一対の芥収納網で船体を進行させ水面を清掃するようにした。【０００９】  また請求項２は、第２の枠体は、芥収納網の先端開口面の高さを調整できるように、船体の両側面に第２の枠体の上下高さを調整可能に設置してなるものである。【００１０】  あるいは、請求項３において、係合手段は、芥収納網の先端開口面の高さを調整できるように、第１の枠体と、第２の枠体の係合位置を上下に調整できるようにしてもよいものである。【００１１】  さらに請求項４では、係合手段は、第２の枠体の開口面に対して、第１の枠体の開口面を重ねた時に通り抜けないように、大きさに設定し、船体の進行方向に対して第１の枠体、第２の枠体の順に配置されることで芥収納網を安定して確実に取り付けられるようにした。【００１２】  請求項５では、芥収納網は、紐などにより開口部を閉じることができるよう閉止手段を設けたものである。【００１３】  請求項６は、芥収納網は、第１の枠体の開口面の反対側の底部を開口できる開口手段を有してなり、芥を陸上やごみ処理場で廃棄処理を容易にした。
【発明の効果】
【００１４】  これにより、水面でバランスよく水面清掃船を推進させ安定して芥収集が行え、さらに収集した芥の収集網も簡単に交換できる。また芥を詰めた収集網は水面に浮かして蓄積し、後で収集網をまとめて陸揚げして、収集網の中の芥も底の開口手段によって簡単に廃棄できる。
【図面の簡単な説明】
【００１５】
【図１】本発明の一実施例を示す水面清掃船の船体平面説明図。
【図２】本発明の一実施例を示す水面清掃船における図１の側面説明図。
【図３】本発明の一実施例を示す芥収納網の第一の枠体及び収納紐の説明図。
【図４】本発明の一実施例を示す芥収納網及び第１及び第２の枠体の説明図。
【図５】本発明の一実施例を示す芥収納網の芥を収集する状態を示す説明図。
【図６】本発明の一実施例を示す芥収納網の芥を収集した状態を示す説明図。
【発明を実施するための形態】
【００１６】  次に、図面に基づいて本発明を詳細に説明する。図１、図２は、本発明の特許請求項１に示されるように、水面清掃船の船体平面と船体側面を説明するものであって、船体１の両側に芥収納網２が配置できるように、袋状になる網の先端開口部面に円形又は多角形の第１の枠体３を有する芥収納網２を配置してなるものであって、この第１の枠体３と係合し、芥収納網２の先端開口面を船体１の進行方向に対向するように、船体１の両側に第２の枠体４を設置し、芥収納網２の第１の枠体３と、船体１に設けた第２の枠体４をそれぞれ係合する係合手段を設け、芥集収の際に船体１の両側に設置した一対の芥収納網２で船体１を推進させ、芥収集網２に芥を収集しながら水面を清掃するようにしている。船体１の両側に芥収集網２が設けられているので、このため船体１は、バランスよく芥の収集を行えるようになっている。
【００１７】  次に図３に基づいて、芥収納網２について詳細に説明する。芥収納網２（図３中でこの芥収納網２は、上部、底部以外の網部分を破線で表現している。）は、ポリエステル基布ＰＶＣ樹脂メッシュの網で構成され、円柱状の収納網（生地）１１が形成される。この芥収納網２の入り口は、口径５８０ｍｍの円形のアルミ製の６ｍｍ径の心材からなる第一の枠体３を有し、芥収納網２と一体に取り付けられている。芥収納網２と第一の枠体３は、第一の枠体３の周囲１２カ所を結束バンドで固定されるが、生地を５０ｍｍ折り返し、第一の枠体３を覆い、この生地１１と結束されている。
【００１８】  また、この第一の枠体３の一部に後述する、第二の枠体３に固定する第一の枠体吊下げベルト１２が第一の枠体３と生地１１に一体的に取り付けられている。この第一の枠体吊下げベルト１２は、長さ３００ｍｍ、幅２０ｍｍのベルトで、５０ｍｍ間隔で７ｍｍ径の取り付け穴１３が複数設けられている。材質としては、ゴム製、革製又は樹脂製など適宜に選択すればよい。
【００１９】  収納網２の入り口から６００ｍｍ程度後段に、収納網２に収納された芥に蓋をするための４ｍｍ径のロープ１５が取り付けられている。このロープ１５は、収納網２のメッシュ網に一カ所エステル帆布１８でミシン縫製されて、ロープ１５の結び目付近でロープ１５通しを構成するためにエステル帆布１９でロープ１５を跨いで、芥収納網２のメッシュ網に縫い付けられている。
【００２０】  さらに後段には、芥収納網２の入り口から１９５０ｍｍ後段が、芥収納網２の奥行になるが、最後段は、１００ｍｍ折り返されて縫い付けられている。しかも、芥収納網２の折り返し後端に６カ所に奥行方向に切り込み２０が形成されている。この最後段はこの折り返しの中を、ロープ１６を通して、ロープ１６を引き締めて縛り袋として構成されるように構成されている。
【００２１】  また、この底部には、芥収納網２が浮くようにフロート（図示せず）が取り付けられる帆布ベルト２５ｍｍ×１００ｍｍを５０ｍｍで折り返り生地に縫い付けられフロート用ロープ１７通しが形成されている。
【００２２】  図４に基づいて、特許請求項３における芥収納網２の第１の枠体３と、船体１に設けた第２の枠体４が係合する係合手段について、その正面図、左側面図、平面図に基づいて詳細に説明する。便宜上船体１の前方から見た、左側のみを説明する。第２の枠体４は、船体１の枠体２１が船体１の進行方向に直行する横方向に取り付けられる角パイプ２２と、この角パイプ２２の先端に、コの字状の先端が９０°に曲げられた（図中折曲部２４）丸パイプ２５が差し込まれて接続（接続部２３）されている。このコの字状の丸パイプ２５の他端２６は、前記角パイプ２２の中間点に補強版２７と共に固定されて、略四角形状の第２の枠体４が構成される。
【００２３】  この第２の枠体４の上部には、前記芥収納網２の第１の枠体３に設けられた第一の枠体吊下げベルト１２の取り付け穴１３に突き刺し、固定する８ｍｍ径の丸棒からなる網釣り具３０が突出されている。
【００２４】  図４に示されるように、前記芥収納網２の第１の枠体３は、前記第２の枠体４の（船体１の進行方向側）手前側に位置し、芥収納網２は、前記第２の枠体４の奥手側に位置して、第一の枠体吊下げベルト１２の取り付け穴１３が、網釣り具３０に突き刺さることで、固定される。
【００２５】  第一の枠体吊下げベルト１２の取り付け穴１３の場所により、前記芥収納網２の第１の枠体３は、第一の枠体吊下げベルト１２の取り付け穴１３を第一の枠体３の取付け基部側で固定すると、矩形状の第２の枠体４の上部に固定でき、反対に第一の枠体３の取付け基部と反対側の端部側の穴１３で固定すると、四角形状の第２の枠体４の下部に固定できようになっている（特許請求項３の作用）。
【００２６】  これにより水面清掃の際、清掃用具や乗船担当員の人数などの重量により、船体１が水面に対して沈んだり浮いたりして、高さが異なるので、船体１の沈み具合に応じて、芥収納網２の先端開口面の高さを調整できるようになっている。
【００２７】  この芥収納網２の先端開口面の高さを調整する場合は、芥収納網２の第１の枠体３と、船体１に設けた第２の枠体４係合手段によって、芥収納網２の先端開口面の高さを調整できるようにしたが、特許請求項２に示したように船体１と第２の枠体４の係合位置を上下に調整できるようにしてもよいものである（図示せず）。
【００２８】  水面清掃作業において、上述した如く（特許請求項４の実施例として）、係合手段は、第２の枠体４の開口面に対して、第１の枠体３の開口面を重ねた時に通り抜けないような大きさに設定し、船体１の進行方向に対して第１の枠体３、第２の枠体４の順に配置され、さらに前記第１の枠体３の芥収納網２部が第２の枠体４の後段側に位置することで芥収納網２が脱落しにくく安定して確実に取り付けられるようにした。
【００２９】  芥収集網２の開口部を形成する第１の枠体３の径を前述した如く５８０ｍｍの円形にアルミで構成し、また底部付近（又は開口部付近）にフロート用ロープ１７で、ＡＢＳ樹脂（アクリロニトリル・ブタジエン・スチレン樹脂）などで構成されたフロート（図示せず）が周囲に設置され、芥収納網２に密着されている。芥収集の際は、前記芥収納網２の底部は、ロープ１６で結束して袋状になり船体１の進行させることで芥を収集でき、芥が満たされたら先端側のロープ１５を引き締め、芥が収納された芥収集網２の開口部を閉止することができる。そして、芥が詰まった芥収集網２は、前記フロートにより図６（図６ではフロートを開口面側に結び付けた例で）示されるように第１の枠体３の開口面側が（又は底部が）上になって、水面に浮くようになっている。
【００３０】  また、芥収納網２の網目は、収集する芥の種類にもよるが本発明では、７〜２０ｍｍ程度が選択される。材質としては丈夫な合成樹脂などで構成され、前記第１の枠体３とは反対側の底部側があらかじめロープ等で閉じられており、芥を収納できるようになっている。
【００３１】  芥で散らかった水面を本発明の水面清掃船で周回して、芥収納網２に収納し、芥で満杯になった芥収納網２を水面に蓄積しながら、新しい芥収納網２を付け替え、芥収集作業を行い、最後にまとめて水面に浮かぶ芥収納網２を集めて、陸上に引き上げ、クレーンなどで持ち上げ、各芥収納網２の底部のロープ１６を開放すれば、芥は簡単に廃棄できるようになっている。
【００３２】  上記実施例においては、前記芥収納網２の第１の枠体３は、アルミ製で構成したが、硬質の樹脂で構成しても良く、材質については限定しない。また、第１の枠体３と第２の枠体４の係合手段は、第２の枠体４の開口面に対して、第１の枠体３の開口面を重ねた時に通り抜けないような大きさに設定するに際して、本実施例では、第１の枠体３を縦長方形上にして、第１の枠体３を円形にして、第１の枠体３と第２の枠体４を重ねた時に、第１の枠体３が第２の枠体４の左右で突出しているので通り抜けないようにしているが、互いの形状の制約はなく、円形や矩形状に限定されることはない。
【産業上の利用可能性】
【００３３】  本発明の水面清掃船は、大がかり単動船や、双胴の水面清掃船を使用せず、一般的な単胴船でもこまめに水面を清掃でき、収集した芥の処理も簡単に行え、経済的である。特に、嵐や自然災害時の後など、ダムの水面や湖面が汚れても迅速に対応しなくてはならない場合でも、手軽に清掃ができ、社会的に有用、有益な発明として万全の備えが確立できる。
【符号の説明】
【００３４】  １…船体
２…芥収納網
３…第１の枠体
４…第２の枠体
５…係合手段
６…第２の枠体高さ調整部
７…係合手段接着調節部
８…収納網開口部閉止手段
９…収納網底開口手段
１１…芥収納網（生地）
１２…枠体吊下げベルト
１３…取り付け穴
１５…ロープ
１６…ロープ
１７…フロート用ロープ
１８…エステル帆布
１９…エステル帆布
２０…切り込み
２１…船体の枠体
２２…角パイプ
２３…接続部
２４…折曲部
２５…丸パイプ
２６…他端
２７…補強板
３０…網釣り具
【図１】
2017226403.tif 000003
【図２】
2017226403.tif 000004
【図３】
2017226403.tif 000005
【図４】
2017226403.tif 000006
【図５】
2017226403.tif 000007
【図６】
2017226403.tif 000008